(57)【要約】【課題】本発明は、携帯端末装置に関し、特に携帯して映画等を楽しむ端末装置に適用して、混雑した車内等においても、利用することができるようにする。【解決手段】本発明は、ストラップにより首からぶら下げることができるようにして、姿勢センサ１１で検出される姿勢の変化に応じて、画像の表示を切り換える。【選択図】　　　　図１
2004110453.tif 000002
【特許請求の範囲】
【請求項１】
筐体の下側にストラップを接続して、前記ストラップを用いて首からぶら下げることができるようになされた携帯端末装置において、
画像を表示する画像表示手段と、
姿勢の変化を検出する姿勢センサと、
前記姿勢センサで検出される姿勢の変化に応じて、前記画像表示手段による画像の表示を切り換える制御手段と
を備えることを特徴とする携帯端末装置。
【請求項２】
前記制御手段による前記表示の切り換えが、
天地の逆転による前記表示の停止である
ことを特徴とする請求項１に記載の携帯端末装置。
【請求項３】
前記制御手段は、
前記画像が、再生中の音楽コンテンツに付随する動画像の場合、
天地の逆転により、前記音楽コンテンツの再生を継続し、前記表示を停止する
ことを特徴とする請求項１に記載の携帯端末装置。
【請求項４】
前記制御手段は、
前記画像が、画像コンテンツの動画像の場合、
天地の逆転により、前記表示を停止すると共に、前記画像コンテンツの再生を一時停止する
ことを特徴とする請求項１に記載の携帯端末装置。
【発明の詳細な説明】
【０００１】
【発明の属する技術分野】
本発明は、携帯端末装置に関し、例えば携帯して動画を楽しむ端末装置に適用することができる。本発明は、ストラップにより首からぶら下げることができるようにして、姿勢センサで検出される姿勢の変化に応じて、画像の表示を切り換えることにより、混雑した車内等においても、利用することができるようにする。
【０００２】
【従来の技術】
従来、携帯端末装置であるＰＤＡ（Ｐｅｒｓｏｎａｌ　Ｄｉｇｉｔａｌ　Ａｓｓｉｓｉａｎｔｓ　）においては、例えば自宅のコンピュータで受信した電子メール、スケジュールをアップロードし、通勤途中の車中等でこれら電子メールを確認等できるようになされている。
【０００３】
このような携帯端末装置においては、長時間操作されない場合、液晶表示パネルによる画像の表示を停止することにより、電力消費を低減するようになされている。また例えば特開平１１−２３９２０３号公報に開示の構成においては、携帯電話に適用して、耳当ての部分に設けたスイッチによりユーザーの操作を検出し、この検出結果に基づいて画像の表示を停止することにより、電力消費を低減するようになされている。
【０００４】
【特許文献１】
特開平１１−２３９２０３号公報
【０００５】
【発明が解決しようとする課題】
ところでこの種の携帯端末装置においては、ストラップにより首からぶら下げて保持することにより、落下による損傷を防止することができる。またこのストラップを筐体の下側端面に設け、これにより首からぶら下げた状態とは天地を逆さまにして目の前に持ち来し、ストラップにより邪魔されないようにして表示画面を目視することができる。
【０００６】
ところがこのようにしてストラップにより首からぶら下げるようにすると、首からぶら下げた状態で上下逆さまの画面が携帯端末装置で表示された状態となり、周囲から見て、奇異な状態となる。またこのように首からぶら下げた状態で画像を表示していたのでは、例えば通勤途中で使用していた場合に、他人から表示を盗み見られる恐れもある。これに対してこのように首からぶら下げた状態にあっては、使用していない場合である。これによりこの種の携帯端末装置においては、首からぶら下げる場合、電源を立ち下げるのが普通であると考えられる。
【０００７】
しかしながら例えば通勤途中で使用する場合にあっては、必ずしも座席に着席した場合だけでなく、混雑した車中で、立った状態で使用する場合も考えられる。このような場合にあって、車両が混雑すると、駅に到着して乗客が乗り降りする際に、さらには車両が大きく揺れた際に、咄嗟に、携帯端末装置が手から滑り落ちてしまう恐れがある。
【０００８】
これらの場合にあって、ストラップにより携帯端末装置を首からぶら下げるようにすれば、携帯端末装置の落下による損傷については防止することができる。しかしながら電源の立ち下げについては、操作することが困難になる。特に、携帯端末装置においては、全体形状の小型化のためにこれら操作子が小型化されており、これにより咄嗟の場合、電源立ち下げの操作については操作が著しく困難になる。
【０００９】
これらにより携帯端末装置においては、実際上、混雑した車内等において、利用することが困難な問題があった。
【００１０】
本発明は以上の点を考慮してなされたもので、混雑した車内等においても、利用することができる携帯端末装置を提案しようとするものである。
【００１１】
【課題を解決するための手段】
かかる課題を解決するため請求項１の発明においては、筐体の下側にストラップを接続して、このストラップを用いて首からぶら下げることができるようになされた携帯端末装置に適用して、姿勢センサで検出される姿勢の変化に応じて、画像表示手段による画像の表示を切り換える制御手段を備えるようにする。
【００１２】
請求項１の構成によれば、ストラップを用いて首からぶら下げることができるようになされた携帯端末装置に適用して、姿勢センサで検出される姿勢の変化に応じて、画像表示手段による画像の表示を切り換える制御手段を備えることにより、例えば携帯端末装置が首からぶら下がった姿勢になると、表示を停止することができる。これにより混雑した車内において、咄嗟に手から滑り落ちた場合に、上下逆さまの不自然な表示を防止し得、また第３者から盗み見られるような状況を有効に回避することができ、これらにより混雑した車内等においては、利用することが可能となる。
【００１３】
【発明の実施の形態】
以下、適宜図面を参照しながら本発明の実施の形態を詳述する。
【００１４】
（１）第１の実施の形態
（１−１）第１の実施の形態の構成
図２及び図３は、本発明の第１の実施の形態に係るＰＤＡの使用状態を示す図である。この実施の形態に係るＰＤＡ１は、全体が縦長の略長方形形状により形成され、ストラップ２が接続されるようになされている。これによりＰＤＡ１は、図３に示すように、ストラップ２を首に引っかけ、このストラップ２により首からぶら下げて保持できるようになされている。また必要に応じて図２に示すように、手により把持して目の前に持ち来すことにより、表示画面を目視し、さらには各種操作子を操作できるようになされている。
【００１５】
ＰＤＡ１は、筐体の下側である下側端面にこのストラップ２が接続され、これにより首からぶら下げた状態とは上下を逆さまにして目の前に持ち来して、ストラップにより邪魔されないようにして表示画面を目視できるようになされている。ＰＤＡ１は、これにより首からぶら下げた状態では、図３に示すように、全体が上下逆さまとなるようになされている。
【００１６】
図１は、このＰＤＡ１の構成を示すブロック図である。このＰＤＡ１は、ミニディスクによる記録媒体４を着脱可能に保持し、自宅のコンピュータでこの記録媒体４に電子メール、スケジュールを記録できるようになされている。またこの記録媒体４により音楽によるコンテンツ（以下、音楽コンテンツと呼ぶ）、映画等の動画によるコンテンツ（以下、画像コンテンツと呼ぶ）が提供されるようになされている。
【００１７】
ドライブ５は、中央処理ユニット６の制御により、この記録媒体４に記録されたデータを再生して出力する。液晶表示部７は、画像を表示する画像表示手段を構成し、中央処理ユニット６の制御により記録媒体４から読み出された電子メール、スケジュールを表示し、さらにはデコーダ８でデコードされてなる動画像、静止画像を表示する。デコーダ８は、中央処理ユニット６の制御により記録媒体４から読み出された音楽コンテンツ、画像コンテンツを再生する。デコーダ８は、このようにしてコンテンツを再生して得られるオーディオデータについては、図示しないディジタルアナログ変換回路、増幅回路を介してイヤホンＳＰに出力する。これに対してビデオデータについては、バスを介して液晶表示部７に出力する。これによりこのＰＤＡ１では、記録媒体４に記録された音楽コンテンツを再生してイヤホンＳＰにより視聴できるようになされ、またこの音楽コンテンツにプロモーション用の画像等が付随している場合には、液晶表示部７で表示できるようになされている。また同様にして、記録媒体４に記録された映画等の画像コンテンツについて、イヤホンＳＰにより音声を視聴しながら、液晶表示部７により画像を確認できるようになされている。
【００１８】
操作子９は、このＰＤＡ１の表面に配置された再生、電源スイッチ等の操作子であり、入出力回路（Ｉ／Ｏ）１０を介してユーザーによる操作が中央処理ユニット６に通知されるようになされている。
【００１９】
姿勢センサ１１は、いわゆる傾斜センサであり、密閉した空間に少量の液体を封入し、この空間における液体の偏りを電極間の導通、電極間の静電容量等により検出することにより、姿勢の変化を検出できるようになされている。この実施の形態において、姿勢センサ１１は、液晶表示部７による表示画面の天地が正しい向きとなるようにＰＤＡ１が保持されている場合と、これとは逆に表示画面の天地が逆転してなるようにＰＤＡ１が保持されている場合とを識別可能に、配置されるようになされている。
【００２０】
中央処理ユニット６は、ＲＡＭ１２にワークエリアを確保してＲＯＭ１３に記録された処理プログラムを実行することにより、ＲＡＭ１２、ＲＯＭ１３と共に、このＰＤＡ１全体の動作を制御するコンピュータを構成する。すなわち中央処理ユニット６は、ＰＤＡ１の電源が立ち上げられると、ＲＯＭ１３に記録されたブートアッププログラムを起動し、このＲＯＭ１３の所定領域に記録された内容をＲＡＭ１２にコピーし、コピーを完了するとこのＲＡＭ１２にコピーしたプログラムを実行する。
【００２１】
中央処理ユニット６は、このプログラムの実行において、操作子９の操作に応動して液晶表示部７に所定のメニュー画面を表示し、操作子９の操作によるこのメニュー画面におけるユーザーの選択に応動して、ドライブ５等の動作を制御し、これにより記録媒体４に記録された電子メール、スケジュールを液晶表示部７で表示する。また同様にして記録媒体４に記録された音楽コンテンツ、画像コンテンツを再生してユーザーに提供する。
【００２２】
この処理において、ユーザーによりモード設定のメニューが選択されると、中央処理ユニット６は、所定のモード設定画面を表示する。中央処理ユニット６は、このモード設定画面におけるユーザーの操作により、姿勢センサ１１により表示を切り換えるモードの選択を受け付ける。
【００２３】
中央処理ユニット６は、この姿勢センサ１１により表示を切り換えるモードが選択された場合にあって、姿勢センサ１１により天地の逆転が検出されると、液晶表示部７の動作を切り換え、画像の表示を停止する。またこのようにして画像の表示を停止して姿勢センサ１１により正しい天地の向きが検出されると、停止した表示を再開する。これによりこのＰＤＡ１では、手よりすべり落ちた場合、さらにはユーザーが故意にＰＤＡ１を手放しした場合、画像の表示を停止するようになされている。
【００２４】
さらに中央処理ユニット６は、この画像の表示が画像ファイルの再生によるものの場合、画像の表示中止に連動して画像ファイルの再生も一時停止する。また画像コンテンツの表示を再開する場合、再生を一時停止した箇所より先頭側に数秒程度戻った箇所より再生を開始する。これによりこのＰＤＡ１では、映画等を視聴していて、このように再生を一時停止して再開した場合に、ストーリを思い起こすことができるようになされている。
【００２５】
これに対して画像の表示が音楽コンテンツに付随するプロモーション用の画像等の場合、中央処理ユニット６は、画像の表示を中止しても、音楽の再生は継続する。これにより音楽の再生においては、天地が逆転した場合でも、再生を継続するようになされている。
【００２６】
またこのようにして画像の表示を一時停止して、音楽コンテンツを再生する場合以外にあっては、一定時間経過しても天地が逆転したままの場合、電源を立ち下げる。またこの場合、電源を立ち下げた状態を電源によりバックアップされた図示しないメモリ又は不揮発性メモリによるいわゆるラストメモリに記録して保持し、電源の立ち上げによりこの状態を再現する。またこの場合も、画像コンテンツについては、ラストメモリに記録された再生箇所より先頭側に数秒程度戻った箇所より再生を開始する。なお中央処理ユニット６は、音楽コンテンツ、画像コンテンツを再生している場合以外の場合にあって、一定時間以上、操作子の操作が検出されない場合も、同様に、ラストメモリに状態を記録して電源を立ち下げる。
【００２７】
これに対してこのような姿勢センサ１１により表示を切り換えるモードが選択されていない場合、中央処理ユニット６は、姿勢センサ１１で姿勢の変化が検出された場合でも、この姿勢の変化を無視して表示を継続する。また音楽コンテンツ、画像コンテンツを再生している場合以外の場合にあって、姿勢センサ１１により天地の逆転が検出された後、一定時間経過しても天地が逆転したままの場合、さらには一定時間以上、操作子の操作が検出されない場合、電源を立ち下げる。またこの場合も、いわゆるラストメモリにより電源を立ち下げた状態を記録して保持し、電源の立ち上げによりこの状態を再現する。
【００２８】
（１−２）第１の実施の形態の動作
以上の構成において、このＰＤＡ１では、記録媒体４がセットされた状態で、ユーザーによる操作子９の操作によりこの記録媒体４に記録された電子メール、スケジュールが液晶表示部７で表示される。また音楽コンテンツ、画像コンテンツが再生されてユーザーに提供される。
【００２９】
ＰＤＡ１では、ユーザーが手に持って液晶表示部７による画像を目視している場合、姿勢センサ１１により、この表示画面の天地が正しい向きに保持されていることが検出される。これに対して例えば電車の揺れでＰＤＡ１が手より滑り落ちた場合、さらには乗り換えの為にユーザーがＰＤＡ１を手放した場合、ＰＤＡ１は、ストラップにより首からぶら下げた状態となり、姿勢センサ１１により天地の逆転が検出される。
【００３０】
ＰＤＡ１では、姿勢センサ１１により表示を切り換えるモードが選択されている場合、姿勢センサ１１により天地の逆転が検出されると、液晶表示部７における画像の表示が停止制御される。これによりＰＤＡ１では、天地が逆ささまになった画像の表示が中止され、周囲から見た奇異な状態を有効に回避することができる。また電子メール等を他人より盗み見られないようにすることができる。また一々操作子を操作しなくても自動的に画像の表示が中止されることにより、その分、操作も簡略化することができ、これらにより混雑した車内でも使用することができる。またこのようにして天地が逆さまになったときは、画面を見ていないときであることにより、画像の表示を中止して電力消費も低減することができる。
【００３１】
このようにして画像の表示を中止するにつき、映画等の画像コンテンツをユーザーに提供している場合、ＰＤＡ１では、コンテンツの再生も一時停止される。これに対して音楽コンテンツを提供している場合、コンテンツの再生は継続され、音楽コンテンツのオーディオ信号がイヤホンＳＰを介して継続してユーザーに提供される。これによりＰＤＡ１では、コンテンツの特性に応じて、画像の切り換えと連動して再生の処理を制御するようになされ、ユーザーの使い勝手が向上される。
【００３２】
すなわち映画等の画像コンテンツにおいては、画像が主であり、画像の表示を停止して音声だけ視聴するユーザーにおいては、極めて稀であると考えられる。これに対して音楽コンテンツにおいては、音楽が主であり、画像を見ないで音楽を視聴する場合も多い。これによりこのＰＤＡ１のように、画像の切り換えと連動して再生の処理を制御して、例えば音楽だけを聞きたい場合には、単にＰＤＡ１を首からぶら下げて、さらには天地を逆さまにして胸ポケットに収納して、無駄な電力消費を有効に回避して音楽を視聴することができる。また画像コンテンツについては、ＰＤＡ１を手放して首からぶら下げた状態にする等の簡易な操作により、一時視聴を中止して、視聴を再開することができる。
【００３３】
すなわちＰＤＡ１では、このようにして画像の表示を停止して、姿勢センサ１１により天地逆転の解消が検出されると、画像の表示が再開される。これによりＰＤＡ１では、一時的に中断した画像による電子メール等の確認作業、さらには画像コンテンツの視聴を再開することができる。このときＰＤＡ１では、再生を一時停止した箇所より先頭側に数秒程度戻った箇所より再生が開始され、これにより映画等のストーリを思い起こすことができるようになされている。
【００３４】
またＰＤＡ１では、電子メール、スケジュールを表示し、又は画像コンテンツをユーザーに提供している状態で、このようにして天地の逆転が検出された後、一定時間経過しても天地が逆転したままの場合、電源が立ち下がる。またこの場合、いわゆるラストメモリにより電源を立ち下げた状態が記録され、電源の立ち上げによりこの状態が再現される。これにより首からぶら下げた状態で操作を忘れたような場合に、無駄な電力消費を有効に回避することができる。またこのようにして電源を立ち下げた状態を再現する際に、画像コンテンツについては、天地逆転の解消により表示を再開する場合と同様に、再生を一時停止した箇所より先頭側に数秒程度戻った箇所より再生が開始され、これによりストーリを思い起こすことができるようになされている。
【００３５】
これに対してこのような姿勢センサ１１により表示を切り換えるモードが選択されていない場合、ＰＤＡ１では、姿勢センサ１１による検出結果が無視され、天地が逆転した場合でも、画像の表示が継続される。また音楽コンテンツ、画像コンテンツをユーザーに提供している場合以外の場合にあっては、一定時間以上操作子が操作されない場合、さらには一定時間経過しても天地が逆転したままの場合、電源が立ち下げられ、この場合も電源の立ち上げによりこの状態が再現される。
【００３６】
これにより天地の逆転により画像の表示を停止する動作を煩わしいと感じるユーザー等にあっては、従来と同様の使い勝手によりＰＤＡ１を使用することができ、これによってもユーザーの使い勝手を向上することができる。
【００３７】
（１−３）第１の実施の形態の効果
以上の構成によれば、ストラップにより首からぶら下げることができるようにして、姿勢センサで検出される姿勢の変化に応じて、画像の表示を切り換えることにより、混雑した車内等においても、携帯端末装置を利用することができる。
【００３８】
すなわち天地の逆転により画像の表示を停止することにより、周囲から見た奇異な状態を解消し得、さらには他人による電子メール等の盗み見を防止することができる。
【００３９】
またこの画像が再生中の音楽コンテンツに付随する動画像の場合、天地の逆転により、音楽コンテンツの再生については継続することにより、コンテンツの特徴に応じて動作を切り換え、音楽を楽しむユーザーの使い勝手を向上することができる。
【００４０】
また画像が画像コンテンツの動画像の場合、天地の逆転により、表示の停止と連動してコンテンツの再生を一時停止することにより、コンテンツの特徴に応じて動作を切り換え、映画等の画像コンテンツを楽しむユーザーの使い勝手を向上することができる。
【００４１】
（２）第２の実施の形態
この実施の形態に係るＰＤＡにおいては、姿勢センサ１１により表示を切り換えるモードに、第１及び第２の動作モードが設けられ、第１の動作モードにおいては、上述した第１の実施の形態における姿勢センサ１１により表示を切り換えるモードと同一に、画像の表示を停止する。これに対して第２の動作モードにおいては、音楽コンテンツについて、天地の逆転により画像の上下を逆さまにして表示する。なおこの実施の形態に係るＰＤＡにおいては、この第２の動作モードに係る処理が異なる点を除いて、第１の実施の形態と同一に構成されることにより、適宜、第１の実施の形態の構成を流用して構成を説明し、重複した説明は省略する。
【００４２】
すなわちこのＰＤＡで再生する音楽コンテンツにおいては、インターネットを介して所定のサイトよりダウンロードする際に、ユーザーの了承により、宣伝用の動画像ファイルが併せてコンピュータにダウンロードされ、この動画ファイルと共に記録媒体４に記録される。
【００４３】
このＰＤＡ１の中央処理ユニット６においては、このような宣伝用動画ファイルが付随する音楽コンテンツを再生する場合、この宣伝用動画ファイルを再生してその画像を表示する。またユーザーにより第２の動作モードが選択されている場合、天地の逆転により、この画像の天地を逆転させて表示する。これによりこの実施の形態においては、姿勢センサによる検出結果を有効に利用して、音楽コンテンツの宣伝等にも利用するようになされている。
【００４４】
これに対して中央処理ユニット６は、この第２の動作モードにおいて、スケジュール、電子メール等の表示、画像コンテンツについては、第１の動作モードと同様に処理する。
【００４５】
第２の実施の形態においては、ユーザーによる選択により、スケジュール等にあっては画像の表示を停止し、音楽コンテンツに付随する画像については、表示を逆転させるようにしても、第１の実施の形態と同様の効果を得ることができ、さらには宣伝等に利用することができる。
【００４６】
（３）第３の実施の形態
この実施の形態に係るＰＤＡにおいては、姿勢センサ１１により表示を切り換えるモードに、第１及び第２の動作モードが設けられ、第１の動作モードにおいては、上述した第１の実施の形態における姿勢センサ１１により表示を切り換えるモードと同一に、画像の表示を停止する。これに対して第２の動作モードにおいては、音楽コンテンツについて、天地逆転時、専用の画像を表示する。なおこの実施の形態に係るＰＤＡにおいては、この第２の動作モードに係る処理が異なる点を除いて、第１の実施の形態と同一に構成されることにより、適宜、第１の実施の形態の構成を流用して構成を説明し、重複した説明は省略する。
【００４７】
すなわちこのＰＤＡにおいては、インターネットを介してダウンロードにより、又は事前のインストールにより、壁紙用のアニメーション画像がファイルにより保存されるようになされている。なおここでこのアニメーション画像にあっては、特定のマスコットが踊りを踊っているアニメーション、ネオンサインのように、時間の経過に伴って変化する幾何学的な模様を表示するアニメーション等である。
【００４８】
このＰＤＡ１の中央処理ユニット６においては、音楽コンテンツを再生する場合であって、ユーザーにより第２の動作モードが選択されている場合、天地の逆転により、液晶表示部７による表示画像をこれらアニメーション画像の表示に切り換える。なおこの場合、天地の逆転に対応する向きによるアニメーション画像を表示する。
【００４９】
これによりこの実施の形態においては、姿勢センサによる検出結果を有効に利用して、いわゆる着メロと同様に、各ユーザーの個性を表現することができるようになされている。
【００５０】
これに対して中央処理ユニット６は、この第２の動作モードにおいて、スケジュール、電子メール等の表示、画像コンテンツについては、第１の動作モードと同様に処理する。
【００５１】
第３の実施の形態においては、ユーザーによる選択により、スケジュール等にあっては画像の表示を停止し、音楽コンテンツについて、アニメーション画像を表示するようにしても、第１の実施の形態と同様の効果を得ることができ、さらにはユーザーの個性を発揮させることができる。
【００５２】
（４）他の実施の形態
なお上述の第３の実施の形態においては、アニメーション画像を表示する場合について述べたが、本発明はこれに限らず、アニメーション画像に代えて静止画を表示してもよく、またＰＤＡのケースと見間違えるようなＰＤＡのデザインと一体化した静止画、動画を表示してもよく、さらにはユーザーがインターネット等で取得した各種画像を表示してもよい。
【００５３】
また上述の実施の形態においては、画像コンテンツの再生時、天地の逆転により画像の表示を停止し、併せて再生を停止する場合について述べたが、本発明はこれに限らず、音楽コンテンツの再生時においても、同様に処理するようにしてもよい。
【００５４】
また上述の実施の形態においては、ユーザーの起立時を基準にして天地を検出する場合について述べたが、本発明はこれに限らず、ユーザーが横になっている状態を基準にして天地を検出するようにしてもよい。ちなみにユーザーが横になっている状態では、ＰＤＡにおいては、顔の向きに対応するように横向きに保持され、この状態が正しい天地の向きとなる。これによりＰＤＡにおいては、操作子が操作された状態における姿勢センサで検出される姿勢を天地が正しい向きであると判断して、一連の処理を実行することにより、姿勢の変化により表示を切り換えることができる。
【００５５】
また上述の実施の形態においては、本発明をＰＤＡに適用した場合について述べたが、本発明はこれに限らず、音楽再生機能、画像再生機能を有する携帯電話等にも広く適用することができる。
【００５６】
【発明の効果】
上述のように本発明によれば、ストラップにより首からぶら下げることができるようにして、姿勢センサで検出される姿勢の変化に応じて、画像の表示を切り換えることにより、混雑した車内等においても、利用することができる。
【図面の簡単な説明】
【図１】本発明の第１の実施の形態に係るＰＤＡを示すブロック図である。
【図２】図１のＰＤＡの使用時の状態を示す正面図である。
【図３】図２との対比により首からぶら下げた状態を示す正面図である。
【符号の説明】
１……ＰＤＡ、２……ストラップ、４……記録媒体、６……中央処理ユニット、７……液晶表示部、８……デコーダ、１１……姿勢センサ
【図１】
2004110453.tif 000003
【図２】
2004110453.tif 000004
【図３】
2004110453.tif 000005